(57)【要約】【課題】ネック及びヘッドを含む弦楽器構成体の振動特性を改善して、弦楽器の音質を改善できるようにする。【解決手段】ネック５及びヘッド６を有する弦楽器構成体２であって、ネック５の長手方向及びヘッド６の長手方向に延びてネック５とヘッド６との境界を通るようにネック５及びヘッド６に固定される剛性調整部材７と、を備える弦楽器構成体２を提供する。【選択図】図２
2019164304.tif 000002
【特許請求の範囲】
【請求項１】
ネック及びヘッドを有する弦楽器構成体であって、
前記ネックの長手方向及び前記ヘッドの長手方向に延びて前記ネックと前記ヘッドとの境界を通るように前記ネック及び前記ヘッドに固定される剛性調整部材、を備える弦楽器構成体。
【請求項２】
前記剛性調整部材の延長方向の第一端部が、前記ヘッドの長手方向における前記ヘッドの中途部に位置する請求項１に記載の弦楽器構成体。
【請求項３】
前記剛性調整部材の剛性が、前記ネック及び前記ヘッドの剛性よりも高い請求項１又は請求項２に記載の弦楽器構成体。
【請求項４】
前記剛性調整部材の延長方向の第二端部が、前記ネックの長手方向における前記ネックの中途部に位置する請求項１から請求項３のいずれか一項に記載の弦楽器構成体。
【請求項５】
複数の前記剛性調整部材が、前記ネック及び前記ヘッドの長手方向に直交する方向に互いに間隔をあけて配列されている請求項１から請求項４のいずれか一項に記載の弦楽器構成体。
【請求項６】
前記剛性調整部材が、前記ネック及び前記ヘッドの内部に配される請求項１から請求項５のいずれか一項に記載の弦楽器構成体。
【請求項７】
請求項１から請求項６のいずれか一項に記載の弦楽器構成体を備える弦楽器。
【発明の詳細な説明】
【技術分野】
【０００１】
本発明は、弦楽器構成体及び弦楽器構成体を備える弦楽器に関する。
【背景技術】
【０００２】
エレクトリックギター等のようにボディ、ネック及びヘッドを備える弦楽器では、弦の振動がボディ、ネック及びヘッドにも伝達され、ボディ、ネック及びヘッドも振動する。ボディ、ネック及びヘッドが振動することで弦の振動エネルギーは消費され、弦の振動は減衰する。このため、ボディ、ネック及びヘッドを含む楽器本体の振動特性は、弦の振動や弦楽器の音質に影響を与える。
【０００３】
特許文献１には、ヘッドに重りを入れることで楽器本体（エレクトリックギター本体）の振動の状態（振動特性）を調整し、弦楽器の音質の改善を図った弦楽器が開示されている。
【先行技術文献】
【特許文献】
【０００４】
【特許文献１】特開２０１７−０６８０７２号公報
【発明の概要】
【発明が解決しようとする課題】
【０００５】
弦楽器においては、ネック及びヘッドを含む弦楽器構成体の振動特性を改善することで、弦楽器の音質をさらに改善する余地がある。
【０００６】
本発明は、上述した事情に鑑みてなされたものであって、音質を改善できる弦楽器構成体及びこれを備える弦楽器を提供することを目的とする。
【課題を解決するための手段】
【０００７】
本発明に係る弦楽器構成体は、ネック及びヘッドを有する弦楽器構成体であって、前記ネックの長手方向及び前記ヘッドの長手方向に延びて前記ネックと前記ヘッドとの境界を通るように前記ネック及び前記ヘッドに固定される剛性調整部材と、を備える。
【０００８】
本発明に係る弦楽器は、上記の楽器構成体を備える。
【発明の効果】
【０００９】
本発明によれば、ネック及びヘッドを含む弦楽器構成体の振動特性を改善して、弦楽器の音質を改善することができる。
【図面の簡単な説明】
【００１０】
【図１】本発明の一実施形態に係る弦楽器構成体を含む弦楽器を示す平面図である。
【図２】図１の弦楽器において、ネックの一部及びヘッドを示す拡大平面図である。
【図３】図２のIII−III矢視断面図である。
【図４】図１，２の弦楽器における振動の周波数特性、及び、剛性調整部材を含まない弦楽器における振動の周波数特性を示すグラフである。
【図５】図１，２の弦楽器が「第一曲げモード」で振動する場合の弦楽器構成体の振動態様の第一例を示す図である。
【図６】図１，２の弦楽器が「第一曲げモード」で振動する場合の弦楽器構成体の振動態様の第二例を示す図である。
【図７】本発明の他の実施形態に係る弦楽器構成体を示す拡大平面図である。
【発明を実施するための形態】
【００１１】
以下、図１〜６を参照して本発明の一実施形態について説明する。本実施形態では、本発明に係る弦楽器として、エレクトリックギター１を例示する。
図１に示すように、本実施形態に係るエレクトリックギター１は、弦楽器構成体２と、ボディ３と、弦４と、を備える。弦楽器構成体２は、ネック５及びヘッド６と、剛性調整部材７と、を備える。
【００１２】
ボディ３は、例えば内部に空洞を有してもよい。本実施形態のボディ３は、内部に空洞の無いソリッドボディからなる。すなわち、ボディ３は、板状に形成されている。ボディ３を構成する材料は、木材など任意であってよい。
本実施形態のボディ３には、ブリッジ１１、電磁ピックアップ１２、コントローラが取り付けられる。ブリッジ１１、電磁ピックアップ１２及びコントローラは、ボディ３の厚さ方向（Ｚ軸方向）に向くボディ３の表側の面３ａ（以下、表側面３ａと呼ぶ。）に露出する。ブリッジ１１には、弦４の第一端部が留められる。電磁ピックアップ１２は、ネック５の長手方向（Ｘ軸方向）においてネック５とブリッジ１１との間に位置する。本実施形態では、複数（図示例では二つ）の電磁ピックアップ１２がネック５の長手方向に並べて配される。コントローラは、電磁ピックアップ１２から出力される音響信号のボリュームやトーン等を調整する。コントローラには、二つのボリュームスイッチ１３や、有効化する電磁ピックアップ１２を切り替えるピックアップセレクター１４が含まれる。
【００１３】
ネック５は、ボディ３の端部に接続され、ボディ３から離れる方向に延びる。図１，３に示すように、ネック５は、指板２１を設けて構成されている。指板２１は、ネック５のうちボディ３の表側面３ａと同じ方向に向く面５ａ（以下、表側面５ａと呼ぶ。）を構成する。
以下の説明では、ネック５の長手方向に直交する方向のうち、ネック５において複数の弦４が配列される方向をネック５の幅方向（Ｙ軸方向）と呼ぶ。また、ネック５の長手方向及び幅方向に直交する方向をネック５の厚さ方向（Ｚ軸方向）と呼ぶ。ネック５の厚さ方向は、ボディ３の厚さ方向と一致する。
【００１４】
図１，２に示すように、ネック５の内部には、ネック５の反りを調整するための棒状のトラスロッド２２が設けられている。ネック５の長手方向の先端部５Ｂ側に位置するトラスロッド２２の長手方向の端部２２Ｂは、ネック５の長手方向において、例えばネック５の先端部５Ｂに一致するように位置してもよいが、図示例では、ネック５の先端部５Ｂよりもネック５の基端部側に位置する。ネック５の基端部は、ネック５の長手方向においてボディ３に接続される端部である。
トラスロッド２２は、ネック５内部においてネック５の長手方向に延びる挿入孔２３に挿入される。トラスロッド２２を挿入するネック５の挿入孔２３は、ネック５の先端部５Ｂにおいて開口している。これにより、トラスロッド２２を操作するための工具（不図示）を挿入孔２３に挿入し、トラスロッド２２をその軸を中心に回転させてトラスロッド２２の撓み量を変えることで、ネック５の反りを調整することができる。
トラスロッド２２及び挿入孔２３は、ネック５の幅方向におけるネック５の中間に位置する。
【００１５】
図１〜３に示すように、ヘッド６は、ネック５の先端部５Ｂ（端部）に連ねて設けられる。ヘッド６は、例えばネック５と別個に形成された上でネック５に接続されてよい。本実施形態のヘッド６は、ネック５に一体に形成されている。
ヘッド６は、例えばネック５の先端部５Ｂからネック５の長手方向に延びてよい。すなわち、ヘッド６の長手方向は、例えばネック５の長手方向に一致してもよい。本実施形態のヘッド６の長手方向は、ネック５の長手方向においてネック５の先端部５Ｂから離れるにしたがって、ネック５の厚さ方向（Ｚ軸方向）においてネック５の表側面５ａと反対側に向かうように、ネック５の長手方向に対して傾斜している。
以下の説明では、ヘッド６の長手方向（図１，２においてX軸方向）に直交する方向のうち、ネック５の幅方向に平行する方向をヘッド６の幅方向（図１，２においてＹ軸方向）と呼ぶ。また、ヘッド６の長手方向及び幅方向に直交する方向をヘッド６の厚さ方向と呼ぶ。本実施形態のヘッド６は、その厚さ方向の寸法が、長手方向の寸法や幅方向の寸法よりも小さい板状に形成されている。
【００１６】
ヘッド６のうちネック５の表側面５ａと同じ側に向く面６ａ（以下、表側面６ａと呼ぶ。）には、前述したネック５の挿入孔２３を外部に開口させるための溝２４が形成されている。溝２４は、ネック５の長手方向においてネック５の挿入孔２３に連ねて形成されている。具体的に、ネック５及びヘッド６の幅方向における溝２４の位置は、挿入孔２３と一致する。溝２４は、ヘッド６の厚さ方向及び長手方向に直交するヘッド６の幅方向におけるヘッド６の中間に位置する。また、ネック５及びヘッド６の幅方向における溝２４の寸法は、挿入孔２３の寸法と同等となっている。
ヘッド６には、弦４の第二端部を巻き付けるための複数のペグ２５が設けられる。ヘッド６には、その厚さ方向に貫通して複数のペグ２５を個別に取り付けるための複数の取付孔２６が形成されている。
【００１７】
ヘッド６における複数の取付孔２６の配列は、任意であってよい。複数の取付孔２６は、例えばヘッド６の長手方向に一列で配列されてよい。本実施形態では、複数の取付孔２６がヘッド６の長手方向に二列で配列されている。すなわち、取付孔２６は、ヘッド６の長手方向だけではなく、ヘッド６の幅方向にも配列されている。前述したヘッド６の溝２４は、ヘッド６の幅方向において取付孔２６の間に位置している。
【００１８】
上記したネック５及びヘッド６を構成する材料は、木材など任意であってよい。
【００１９】
以上のように構成されるネック５及びヘッド６が弦４の振動に応じて振動する際には、所定の固有振動数においてネック５及びヘッド６に所定の振動モードが励起する。
ネック５及びヘッド６の振動モードには、ネック５及びヘッド６の長手方向に延びる軸を中心として、ネック５及びヘッド６がねじれるように振動する「ねじれモード」がある。また、ネック５及びヘッド６の振動モードには、ネック５及びヘッド６がその長手方向に直交する方向において波打つように振動する「曲げモード」がある。「曲げモード」には、図５，６に例示するように、ネック５及びヘッド６がボディ３の厚さ方向（Ｚ軸方向）において波打つように振動する「第一曲げモード」がある。また、ネック５及びヘッド６の振動モードには、ネック５及びヘッド６がボディ３の幅方向（Ｙ軸方向）において波打つように振動する「第二曲げモード」もある。
【００２０】
図５，６では、グレースケールにおいて、白い部分は振動の変位がより大きいことを示し、黒い部分は振動の変位がより小さいことを示している。図５，６における符号Ｎ１は、ヘッド６のうち「第一曲げモード」における定在波の節（以下、曲げモードの節と呼ぶ。）を示している。ヘッド６における曲げモードの節Ｎ１は、長手方向におけるヘッド６の中途部に位置している。
【００２１】
図２，３に示すように、剛性調整部材７は、上記したネック５及びヘッド６の振動特性を変えるため、特にネック５及びヘッド６における振動の周波数特性を変えるために、ネック５及びヘッド６の剛性を調整するように、ネック５及びヘッド６に対して設けられる。剛性調整部材７は、ネック５及びヘッド６の長手方向に延びてネック５とヘッド６との境界を通るようにネック５及びヘッド６に固定される。すなわち、剛性調整部材７は、ネック５及びヘッド６の両方に跨るように設けられる。剛性調整部材７の延長方向は、ネック５及びヘッド６の長手方向に対応する。
剛性調整部材７の延長方向の第一端部７Ａは、ネック５及びヘッド６の長手方向におけるヘッド６の中途部に位置する。剛性調整部材７の第一端部７Ａは、少なくともヘッド６の先端に到達しなければよい。剛性調整部材７の第一端部７Ａは、例えばヘッド６における曲げモードの節Ｎ１又はその近傍に位置してよい。剛性調整部材７の第一端部７Ａは、例えばヘッド６における曲げモードの節Ｎ１（図５，６参照）よりもネック５とヘッド６との境界側に位置してよい。
【００２２】
剛性調整部材７の延長方向において第一端部７Ａと反対側に位置する剛性調整部材７の延長方向の第二端部７Ｂは、例えばボディ３側に位置するネック５の基端部に位置してもよい。本実施形態において、剛性調整部材７の第二端部７Ｂは、長手方向におけるネック５の中途部に位置する。
本実施形態において、剛性調整部材７の第二端部７Ｂは、トラスロッド２２の端部２２Ｂと同じ位置に位置するが、これに限ることはない。剛性調整部材７の第二端部７Ｂは、例えばトラスロッド２２の端部２２Ｂよりもネック５の基端部側に位置してもよい。また、剛性調整部材７の第二端部７Ｂは、例えばトラスロッド２２の端部２２Ｂよりもネック５の先端部５Ｂ側に位置してもよい。この場合、ネック５の長手方向における剛性調整部材７の第二端部７Ｂとトラスロッド２２の端部２２Ｂとの間隔は、小さいことがより好ましい。
【００２３】
本実施形態の剛性調整部材７は、ネック５及びヘッド６の内部に配される。剛性調整部材７は、ネック５及びヘッド６の内部において、接着等によってネック５及びヘッド６に固定される。剛性調整部材７は、例えばネック５やヘッド６の表面に露出してよい。ネック５の表面は、例えば前述したネック５の表側面５ａや、表側面５ａと反対側に向くネック５の裏側の面５ｃ（裏側面５ｃ）であってよい。また、ヘッド６の表面は、例えば前述したヘッド６の表側面６ａや、表側面６ａと反対側に向くヘッド６の裏側の面６ｃ（裏側面６ｃ）であってよい。本実施形態の剛性調整部材７は、ネック５やヘッド６の表面に露出しない。
【００２４】
剛性調整部材７がネック５及びヘッド６の内部に配される場合、ネック５及びヘッド６の幅方向における剛性調整部材７の幅方向の寸法Ｗ１は、例えば、ネック５及びヘッド６の厚さ方向における剛性調整部材７の厚さ方向の寸法Ｔ１よりも小さいとよい。
また、本実施形態において、ヘッド６の厚さ方向における剛性調整部材７の厚さ方向の寸法Ｔ１２は、例えば、ヘッド６の厚さ方向の寸法Ｔ２の半分以上かつ同等以下であるとよい。また、ネック５の厚さ方向における剛性調整部材７の厚さ方向の寸法Ｔ１１は、例えば、ネック５の厚さ方向の寸法Ｔ３の半分以上かつ同等以下であるとよい。剛性調整部材７の厚さ方向の寸法Ｔ１は、例えば、ネック５やヘッド６の厚さ方向の寸法Ｔ２，Ｔ３を超えない範囲で、より大きくすることが好ましい。
ネック５に位置する剛性調整部材７の部位の厚さ方向の寸法Ｔ１１と、ヘッド６に位置する剛性調整部材７の部位の厚さ方向の寸法Ｔ１２とは、例えば互いに異なっていてもよいが、本実施形態では同等である。
【００２５】
本実施形態において、剛性調整部材７の剛性は、ネック５やヘッド６の剛性よりも高い。本実施形態の剛性調整部材７は、ネック５及びヘッド６よりも硬い繊維（不図示）を含む繊維強化部材からなる。繊維の方向（繊維の長手方向）は、剛性調整部材７の延長方向（ネック５やヘッド６の長手方向）に向いているとよい。繊維の方向は、剛性調整部材７の延長方向と完全に一致してもよいが、例えば延長方向に対して多少傾斜してもよい。すなわち、繊維の方向は、少なくとも剛性調整部材７の延長方向に直交していなければよい。剛性調整部材７を構成する繊維強化部材は、例えば炭素繊維を含む炭素繊維強化プラスチック（ＣＦＲＰ）など任意であってよい。剛性調整部材７が繊維強化部材によって構成することで、剛性調整部材７の剛性の向上を図りながら、剛性調整部材７の軽量化も図ることができる。
【００２６】
本実施形態の弦楽器構成体２は、剛性調整部材７を複数備える。複数の剛性調整部材７の大きさや形状は、互いに同じである。また、ネック５やヘッド６の長手方向における複数の剛性調整部材７の位置も、互いに同じである。
複数の剛性調整部材７は、ネック５及びヘッド６の長手方向に直交する方向に、互いに間隔をあけて配列されている。複数の剛性調整部材７は、例えばネック５やヘッド６の厚さ方向（例えばＺ軸方向）に間隔をあけて配列されてよい。本実施形態において、複数の剛性調整部材７は、ネック５やヘッド６の幅方向（Ｙ軸方向）において、等間隔で配列される。また、複数の剛性調整部材７は、幅方向におけるネック５やヘッド６の中間（軸）を中心として、ネック５やヘッド６の幅方向に均等に配される。
本実施形態における剛性調整部材７の数は、二つである。二つの剛性調整部材７は、幅方向におけるネック５やヘッド６の中間（軸）に対して、ネック５やヘッド６の幅方向において互いに逆向きかつ同じ間隔で位置する。
【００２７】
また、本実施形態において、複数の剛性調整部材７は、ネック５の挿入孔２３、ヘッド６の溝２４と干渉しないように位置している。具体的に、複数の剛性調整部材７は、その配列方向において、ネック５の内部に設けられたトラスロッド２２の両側に位置する。より具体的には、二つの剛性調整部材７が、ネック５やヘッド６の幅方向（Ｙ軸方向）において、挿入孔２３及び溝２４の両側に位置している。
また、本実施形態では、複数の剛性調整部材７が、ヘッド６の取付孔２６と干渉しないように、ヘッド６の幅方向に配列された取付孔２６の間に位置している。
【００２８】
以上のように構成される本実施形態の弦楽器構成体２（実施例の構成体）は、図４の実線Ｆ１で示す振動の周波数特性を有する。図４の破線Ｆ２は、剛性調整部材７を備えていない弦楽器構成体（比較例の構成体）の振動の周波数特性を示している。図４のグラフにおいて、符号ｆ１１〜ｆ１８は、それぞれ実施例の構成体における振動モードの固有振動数を示している。一方、符号ｆ２１〜ｆ２８は、それぞれ比較例の構成体における振動モードの固有振動数を示している。
【００２９】
固有振動数ｆ１１，ｆ２１，ｆ１４、ｆ２４、ｆ１７、ｆ２７、ｆ１８、ｆ２８では、それぞれ弦楽器構成体が「第一曲げモード」で振動する。また、固有振動数ｆ１２、ｆ２２、ｆ１６、ｆ２６では、それぞれ弦楽器構成体が「第二曲げモード」で振動する。また、固有振動数ｆ１３、ｆ２３、ｆ１５、ｆ２５では、それぞれ弦楽器構成体が「ねじれモード」で振動する。
図５に例示する弦楽器構成体の振動態様は、固有振動数ｆ１７、ｆ２７における振動態様を示している。また、図６に例示する弦楽器構成体２の振動態様は、固有振動数ｆ１８、ｆ２８における振動態様を示している。
【００３０】
図４に示すように、比較的低い周波数帯域（例えば２００Ｈｚ近傍よりも低い周波数帯域）では、実施例の構成体における各振動モードの固有振動数ｆ１１〜ｆ１３が、比較例の構成体における各振動モードの固有振動数ｆ２１〜ｆ２３と同等となっている。すなわち、本実施形態の剛性調整部材７を設けても、比較的低い周波数帯域における弦楽器構成体２の振動の周波数特性は、比較例の構成体に対して概ね変化しない。
一方、比較的高い周波数帯域（例えば２００Ｈｚ近傍よりも高い周波数帯域）では、実施例の構成体における各振動モードの固有振動数ｆ１４〜ｆ１８が、比較例の構成体における各振動モードの固有振動数ｆ２４〜ｆ２８よりも高くなっている。すなわち、本実施形態の剛性調整部材７を設けることで、比較的高い周波数帯域における弦楽器構成体２の振動の周波数特性を、比較例の構成体に対して変えることができる。
【００３１】
上記したように、実施例の構成体の振動特性（振動の周波数特性）が、比較例の構成体の振動特性に対して変化することで、実施例の構成体（弦楽器構成体２）を含むエレクトリックギター１の音質が、比較例の構成体を含むエレクトリックギターの音質に対して改善される。
【００３２】
以上説明したように、本実施形態の弦楽器構成体２は、ネック５とヘッド６との境界を通るようにネック５及びヘッド６の長手方向に延び、ネック５及びヘッド６に固定された剛性調整部材７を備える。これにより、ネック５とヘッド６との境界の剛性を高めて、弦楽器構成体２の各振動モードの固有振動数を高めることができる。
また、剛性調整部材７の第一端部７Ａが長手方向におけるヘッド６の中途部に位置することで、剛性調整部材７を含むヘッド６の重さが過度に重くなることを防ぐことができる。これにより、弦楽器構成体２の各振動モードの固有振動数が低下することを防止できる。
以上のことから、ネック５及びヘッド６を含む弦楽器構成体２の振動特性を改善してエレクトリックギター１の音質を改善することができる。
【００３３】
また、本実施形態の弦楽器構成体２では、剛性調整部材７の剛性が、ネック５及びヘッド６の剛性よりも高い。このため、剛性調整部材７がネック５及びヘッド６の内部に配されていても、ネック５とヘッド６との境界の剛性を高めることができる。
また、剛性調整部材７がネック５及びヘッド６の内部に配されることで、ネック５やヘッド６の外観形状を変えることなく、弦楽器構成体２の振動特性を改善してエレクトリックギター１の音質を改善することができる。
【００３４】
また、本実施形態の弦楽器構成体２では、剛性調整部材７の第二端部７Ｂが長手方向におけるネック５の中途部に位置する。これにより、弦楽器構成体２において、比較的低い周波数帯域における振動モードの固有振動数が剛性調整部材７によって高められることを抑制できる。すなわち、本実施形態の弦楽器構成体２では、図４に示したように、比較的低い周波数帯域における振動モードの固有振動数を変えずに、比較的高い周波数帯域における振動モードの固有振動数を高めることができる。
【００３５】
また、本実施形態の弦楽器構成体２では、複数の剛性調整部材７が、ネック５及びヘッド６の長手方向に直交する方向に互いに間隔をあけて配列されている。また、複数の剛性調整部材７が、複数の剛性調整部材７の配列方向において、トラスロッド２２の両側に位置する。このため、トラスロッド２２やネック５の挿入孔２３、ヘッド６の溝２４など、ネック５やヘッド６に配置されている各種の部分やパーツに干渉することなく、剛性調整部材７をネック５及びヘッド６に設けることができる。したがって、弦楽器構成体２やこれを含むエレクトリックギター１の構造や形状を変えることなく、剛性調整部材７を設けることができる。
【００３６】
また、本実施形態の弦楽器構成体２では、剛性調整部材７がネック５及びヘッド６の内部に配されている。これにより、剛性調整部材７をエレクトリックギター１に設けても、弦楽器構成体２やこれを含むエレクトリックギター１の外観意匠を良好に保つことができる。
【００３７】
また、本実施形態の弦楽器構成体２では、ネック５及びヘッド６の幅方向における剛性調整部材７の幅方向の寸法Ｗ１が、ネック５及びヘッド６の厚さ方向における剛性調整部材７の厚さ方向の寸法Ｔ１よりも小さい。このため、複数の剛性調整部材７を、ネック５及びヘッド６の内部において、トラスロッド２２やネック５の挿入孔２３、ヘッド６の溝２４と干渉しないようにネック５及びヘッド６の幅方向に互いに間隔をあけて配列しても、弦楽器構成体２の振動特性を大きく変えることができる。
【００３８】
また、本実施形態の弦楽器構成体２では、剛性調整部材７がネック５及びヘッド６の内部に配された上で、ヘッド６の厚さ方向における剛性調整部材７の厚さ方向の寸法Ｔ１２が、ヘッド６の厚さ方向の寸法Ｔ２の半分以上かつ同等以下となっている。また、ネック５の厚さ方向における剛性調整部材７の厚さ方向の寸法Ｔ１１が、ネック５の厚さ方向の寸法Ｔ３の半分以上かつ同等以下となっている。このため、弦楽器構成体２の外観意匠を良好に保ちながら、弦楽器構成体２の振動特性を大きく変えるための弦楽器構成体２の剛性の調整を十分に行うことができる。
【００３９】
また、本実施形態の弦楽器構成体２では、剛性調整部材７がネック５及びヘッド６よりも硬い繊維を含む繊維強化部材からなる。また、繊維の方向が、剛性調整部材７の延長方向に向いている。このため、剛性調整部材７の軽量化を図りながら、ネック５とヘッド６との境界の剛性を高めることができる。これにより、弦楽器構成体２における所定の振動モード（例えば比較的高い周波数帯域における振動モード）の固有振動数を効果的に高めることができる。
【００４０】
これらの効果により、弦楽器構成体２を備えたエレクトリックギター１では、その音質を改善することができる。
【００４１】
以上、本発明について詳細に説明したが、本発明は上記実施形態に限定されるものではなく、本発明の趣旨を逸脱しない範囲において種々の変更を加えることが可能である。
【００４２】
本発明においては、例えば図７に示すように、弦楽器構成体２が剛性調整部材７を一つだけ備えてもよい。この場合、剛性調整部材７は、幅方向（Ｙ軸方向）におけるネック５やヘッド６の中間に配されるとよい。具体的には、ネック５やヘッド６の幅方向における剛性調整部材７の中間が、ネック５やヘッド６の中間に位置するとよい。幅方向における剛性調整部材７の寸法（幅寸法）は、図７に例示するようにトラスロッド２２の幅寸法より大きくてもよいし、例えばトラスロッド２２の幅寸法と同等であってもよい。また、剛性調整部材７の幅寸法は、例えばトラスロッド２２の幅寸法より小さくてもよい。
【００４３】
また、本発明においては、図７に例示するように、剛性調整部材７がネック５の挿入孔２３、ヘッド６の溝２４に干渉するように位置してもよい。この場合には、剛性調整部材７によってネック５の挿入孔２３、ヘッド６の溝２４の一部を形成すればよい。同様に、剛性調整部材７は、例えばヘッド６の取付孔２６に干渉するように位置してもよい。
【００４４】
本発明において、剛性調整部材は、例えば接着等によってネック及びヘッドの表面（例えばネック及びヘッドの表側面、裏側面）に固定されてよい。この場合、剛性調整部材の剛性は、上記実施形態と同様であってもよいが、例えばネックやヘッドの剛性と同等以下であってもよい。剛性調整部材の剛性がネックやヘッドの剛性と同等以下であっても、ネック５とヘッド６との境界の剛性を高めることができる。
このような構成では、剛性調整部材を既存の弦楽器のネック及びヘッドに固定できるため、既存の弦楽器におけるネック及びヘッド（弦楽器構成体）の振動特性を改善し、既存の弦楽器の音質を改善できる。
【００４５】
本発明の弦楽器構成体は、上記実施形態のエレクトリックギターに限らず、アコースティックギターなどネック及びヘッドを備える任意の弦楽器に適用可能である。
【符号の説明】
【００４６】
１…エレクトリックギター（弦楽器）、２…弦楽器構成体、３…ボディ、４…弦、５…ネック、５Ｂ…ネック５の先端部（端部）、６…ヘッド、７…剛性調整部材、７Ａ…第一端部、７Ｂ…第二端部、Ｔ１…剛性調整部材７の厚さ方向の寸法、Ｔ２…ヘッド６の厚さ方向の寸法、Ｔ３…ネック５の厚さ方向の寸法、Ｗ１…剛性調整部材７の幅方向の寸法
【図１】
2019164304.tif 000003
【図２】
2019164304.tif 000004
【図３】
2019164304.tif 000005
【図４】
2019164304.tif 000006
【図５】
2019164304.tif 000007
【図６】
2019164304.tif 000008
【図７】
2019164304.tif 000009